(57)【特許請求の範囲】
【請求項１】
遊技盤に備えられる複数の入賞口には、入賞した遊技媒体を個々検出可能な入賞媒体検出手段が各々設けられ、
前記入賞媒体検出手段からの入賞信号に基づいて、各種の制御処理を行う遊技制御装置を備えた遊技機であって、
前記各入賞媒体検出手段と前記遊技制御装置とは、各入賞媒体検出手段から延設される配線の端子をそれぞれ接続可能な第１の接続部と、前記遊技制御装置に設けられるコネクタ部と接続可能な第２の接続部とを備える接続用アダプタを介して電気的に接続される構成とし、
前記遊技制御装置は、
ケースと、
該ケースに開閉可能に設けられ、前記コネクタ部を覆うコネクタカバーと、
を備え、
前記コネクタカバーが閉塞されることにより前記遊技制御装置のコネクタ部と前記接続用アダプタの第２接続部とが電気的に接続され、
前記コネクタカバーを開放させることにより前記コネクタ部と前記第２接続部との電気的接続が解除されるように構成されることを特徴とする遊技機。
【請求項２】
前記コネクタカバーは、断面形状がほぼ扇形に成形され、その弧状の周縁と対向する所定部位を回転中心として回動可能に前記ケースに軸支され、かつ、上記弧状の周縁と対向する外縁部に着脱用突起が設けられ、
上記接続アダプタには、上記着脱用突起と係脱可能な着脱用係合部が設けられ、
前記コネクタカバーの閉塞方向への回動に伴って前記着脱係合部と前記着脱用突起が係合して前記接続アダプタが前記遊技制御装置側に移動された際に、前記コネクタ部と前記第２の接続部とが係合して電気的に接続され、
前記コネクタカバーの開放方向への回動に伴って前記着脱係合部と前記着脱用突起が係合して前記接続アダプタが前記遊技制御装置と離間する方向に移動された際に、前記コネクタ部と前記第２の接続部との電気的接続が解除されるように構成されていることを特徴とする請求項１に記載の遊技機。
【発明の詳細な説明】
【０００１】
【発明の属する技術分野】
この発明は、遊技盤に配設された各種電子装置を制御して所定の遊技を実行可能に構成されたパチンコ遊技機等の遊技機に関する。
【０００２】
【従来の技術】
従来のパチンコ遊技機に代表される遊技機の制御装置は、遊技制御装置，排出制御装置，表示制御装置，発射制御装置などの４，５種類程度の制御装置からなり、電源装置から各制御装置に電源供給されるように構成されることが多かった。
【０００３】
この場合に、上記遊技制御装置は、遊技盤の前面側に配置される変動入賞装置等の各種遊技装置の駆動制御、遊技盤の前面側に配置される装飾ランプやＬＥＤ等の装飾装置による装飾演出の制御、入賞音等の音声出力制御、遊技盤に配設された遊技媒体の入賞センサからの信号処理に関する制御等の複数の機能を兼ねるものであった。
【０００４】
また、排出制御装置は、遊技媒体としての遊技球の排出手段の制御を、表示制御装置は、遊技盤前面に配置された液晶表示装置等の表示制御を、発射制御装置は、遊技媒体としての遊技球を遊技盤の遊技領域内へ発射する発射モータやソレノイドの駆動制御をそれぞれ司り、電源装置は、前記各種遊技装置および前記の各装置に電力を供給する機能を果たすものである。
【０００５】
従来において、これらの制御装置は、製造メーカーにおける組立工程で遊技盤の裏面側に全て取り付けられた状態で、遊技店へ出荷されていた。
【０００６】
したがって、遊技店においては、遊技盤が着脱可能に係合できるように配設された枠体に遊技盤を取り付け、簡単な配線をするだけで設置作業が終了し、制御装置の配線等について遊技店側で行う作業は特には無かった。
【０００７】
【発明が解決しようとする課題】
ところが、上記遊技制御装置は、遊技価値の獲得に重要な関連を有する変動入賞装置等の各種遊技装置の駆動制御等を司っているため、悪意を持った第三者による不正な工作（主装置自体を不正規なものにすり替えたり、不正な回路を追加するなど）等を受け易いという問題があり、それらの不正行為を如何にして防止するかが大きな課題となっている。
【０００８】
より具体的には、遊技盤は製造メーカーの組立工程において遊技制御装置が予め組み込まれた状態で遊技店へ向けて出荷されていたため、遊技盤の完成後の保管中あるいは輸送中に悪意を持った第三者が、遊技制御装置自体を正規品ではないものに交換したり、不正な信号を発生する回路を付加したり、あるいは遊技制御装置内のデータを改竄するなどの不正行為を働くことがあった。
【０００９】
これらの不正行為は遊技店や善意の遊技者に不測の不利益を与えるおそれが高く、確実に防止する必要がある。
【００１０】
そこで、本発明者等は、製造メーカーから遊技盤を出荷する時点では遊技制御装置を遊技盤に未だ取り付けない状態とし、遊技盤が遊技店において上記枠体に係合された後に、遊技盤とは別ルートで厳重に保管されかつ輸送された遊技制御装置を遊技店において取付るという不正防止対策を考案した。
【００１１】
この不正防止対策を採用する場合には、遊技制御装置の遊技盤への取付作業を遊技店において行うとともに、その遊技制御装置に対する配線作業も遊技店側で行う必要がある。しかしながら、製造メーカーにおける整った設備で熟練者によって行われる配線作業とは異なり、遊技店における遊技制御装置への配線作業は遊技店の店員等の配線作業に不慣れな者が行う可能性もあるため、配線ミスを生じる確率が高いという問題がある。
【００１２】
また、遊技店において多数の遊技盤（例えば、島単位で少なくとも各１２台以上）について遊技制御装置への配線作業を行う場合には、膨大な作業時間を要するものと予想され、作業効率を少しでも向上させたいという要求がある。
【００１３】
また、従来における遊技制御装置は上記のように多機能であるため、その機能を実現するために装置上に搭載される電子素子の数も多くなり、遊技制御装置自体が大型化する傾向にある。また、制御データも大きくなるため、ＲＯＭ容量も大きなものが要求されコスト高となる難点もあった。
【００１４】
そこで、遊技制御装置が兼ねていた複数の機能を機能別に別個の制御装置で行うようにするという提案がなされている。即ち、上記従来例についていえば、遊技盤の前面側に配置される変動入賞装置等の各種遊技装置の駆動制御と、遊技盤に配設された遊技媒体の入賞センサからの信号処理のみを遊技制御装置に行わせ、遊技盤の前面側に配置される装飾ランプやＬＥＤ等の装飾装置による装飾演出の制御は別個の装飾制御装置に、入賞音等の音声出力制御は音制御装置に行わせるというものである。
【００１５】
ところが、昨今は、遊技者の興趣を一層高めるべく、遊技盤における装飾効果は趣向を凝らしたものが多くなり、配置される発光部材（例えばＬＥＤ）が増大する傾向にある。そのため、上記装飾制御装置に接続すべき発光部材の配線の数も増加し、工場における装飾制御装置への配線作業に手間がかかる状態となってきた。
【００１６】
本発明は、上記問題点や課題を解決すべく案出されたものであり、遊技店における遊技制御装置の配線作業や、工場における装飾制御装置の配線作業を正確かつ効率良く行うことのできる遊技機を提供することを目的とする。
【００１７】
【課題を解決するための手段】
上記目的を達成するために、本発明に係る遊技機は、遊技盤に備えられる複数の入賞口には、入賞した遊技媒体を個々検出可能な入賞媒体検出手段が各々設けられ、前記入賞媒体検出手段からの入賞信号に基づいて、各種の制御処理を行う遊技制御装置を備えた遊技機であって、前記各入賞媒体検出手段と前記遊技制御装置とは、各入賞媒体検出手段から延設される配線の端子をそれぞれ接続可能な第１の接続部と、前記遊技制御装置に設けられるコネクタ部と接続可能な第２の接続部とを備える接続用アダプタを介して電気的に接続される構成とし、前記遊技制御装置は、ケースと、該ケースに開閉可能に設けられ、前記コネクタ部を覆うコネクタカバーとを備え、前記コネクタカバーが閉塞されることにより前記遊技制御装置のコネクタ部と前記接続用アダプタの第２接続部とが電気的に接続され、前記コネクタカバーを開放させることにより前記コネクタ部と前記第２接続部との電気的接続が解除されるように構成したものである。
【００１８】
より具体的には、上記コネクタカバーは、断面形状がほぼ扇形に成形され、その弧状の周縁と対向する所定部位を回転中心として回動可能に軸支され、かつ、上記弧状の周縁と対向する外縁部に着脱用突起が設けられ、前記接続アダプタには、上記着脱用突起と係脱可能な着脱用係合部が設けられ、前記コネクタカバーの閉塞方向への回動に伴って前記着脱係合部と前記着脱用突起が係合して前記接続アダプタが前記遊技制御装置側に移動された際に、上記遊技制御装置のコネクタ部と前記接続アダプタの第２の接続部とが係合して電気的に接続され、前記コネクタカバーの開放方向への回動に伴って前記着脱係合部と前記着脱用突起が係合して前記接続アダプタが前記遊技制御装置と離間する方向に移動された際に、前記コネクタ部と前記第２の接続部との電気的接続が解除されるように構成するとよい。
【００１９】
これによれば、工場における遊技盤の組立工程において上記接続用アダプタの第１の接続部に複数の前記各入賞媒体検出手段から延設される配線の端子を接続しておくことにより、遊技制御装置を遊技盤と別送するという不正防止対策を採用した場合であっても、遊技店においては、上記接続用アダプタの第２の接続部を遊技制御装置に接続するだけで配線作業を完了することができる。したがって、配線作業に不慣れな遊技店の従業員等が配線作業にあたる場合であっても簡易かつ確実に遊技制御装置と各入賞媒体検出手段から延設される配線の端子との接続を行うことができる。
【００２０】
また、上記コネクタカバーを開放すると必然的に上記接続アダプタの第２の接続部と上記コネクタ部との電気的接続が解除されるので、悪意を持った第三者が不正を働く目的で、遊技機の動作中に遊技制御装置の上記コネクタカバーを開放した場合には、その時点で遊技動作が停止してしまうかあるいは異常発生が遊技店側に報知されるようにできるため不正行為に基づく賞球の異常排出などを未然に防止することができる。
【００２９】
【発明の実施の形態】
以下に、本発明に係る遊技機の実施形態の一例を図面を参照して説明する。
【００３０】
図１はパチンコ遊技機の裏機構を示す図である。図１において、１はいわゆるＣＲ機と称される遊技機であり、図上、遊技機１の右隣にはカード式球貸機（以下、単に球貸機という）２が併設されている。
【００３１】
図１において、パチンコ遊技機１における裏機構は、貯留タンク（上タンク）１０１，誘導路１０２，ターミナル装置（外部端子装置）１０３，半端センサユニット１０４，排出ユニット１０５，遊技制御装置Ｂ１，排出制御装置Ｂ２，電源装置（電源供給ユニット）Ｂ３，発射制御装置Ｂ４，装飾制御装置Ｂ５，表示制御装置Ｂ６，音声制御装置Ｂ７，発射ユニット１０９，カードユニット接続装置１１０，裏機構盤の枠体１１２（裏メカベース）等の構成部材からなっている。
【００３２】
ここで、上記制御装置Ｂ１〜Ｂ４は、枠体１１２に取り付けられる装置群であり、遊技盤Ｙの交換時においても枠体１１２にそのまま残されて、入れ換えられた新規な遊技盤において活用されるようになっている。但し、遊技制御装置Ｂ１は、後述するように遊技店における取付の利便性から枠体１１２に取り付けられるようになっている。
【００３３】
また、上記制御装置Ｂ５〜Ｂ７は、遊技盤Ｙの裏面に取り付けられる装置群であり、遊技盤Ｙの交換時には、遊技盤Ｙとともに新たなものと交換されるようになっている。
【００３４】
なお、図１に示す実施形態では、表示制御装置Ｂ６は遊技盤Ｙに取り付けられる可変表示装置の裏側に設けられ（図１には現れない）、その上に装飾制御装置Ｂ５が重なって設けられる構成となっている。
【００３５】
また、本実施形態では、制御装置は併せて計７個の制御装置Ｂ１〜Ｂ７で遊技機１の制御全般を司るように構成されている。これらの各制御装置（Ｂ１〜Ｂ７）は、制御内容あるいは機能に基づいて個別の制御装置として構成されたものである。
【００３６】
枠体１１２は、合成樹脂製の一体成型品から形成され、遊技機１の前面枠の裏側に固定された金属フレーム１２１に取り付けられている。そして、この枠体１１２の上に、遊技制御装置Ｂ１，排出制御装置Ｂ２，電源装置（電源供給ユニット）Ｂ３，発射制御装置Ｂ４，貯留タンク１０１，誘導路１０２，ターミナル装置１０３，半端センサユニット１０４，排出ユニット１０５，発射ユニット１０９，カードユニット接続装置１１０などが、ワンタッチの保持部材等の固定具によって取り付けられて、いわゆる裏機構盤Ｍを構成している。
【００３７】
金属フレーム１２１は矩形状をなし、遊技盤Ｙを着脱可能に収納固定する遊技盤収納部１２２が形成されている。遊技盤収納部１２２には図示省略した複数の遊技盤固定器具が配置され、それらの複数の遊技盤固定器具によって遊技盤Ｙを固定するようになっている。
【００３８】
貯留タンク１０１は排出される前の球を予め貯留しておくもので、この貯留タンク１０１の球数の不足は補給センサ（図示省略）によって検出され、不足のときは島設備から球が補給される。貯留タンク１０１内の球は誘導路１０２により誘導され、排出ユニット１０５によって排出される。
【００３９】
排出ユニット１０５は所定の球排出指令信号（排出制御装置Ｂ２からの信号）に基づいて貯留タンク１０１より案内される遊技球を遊技者側へ所要数排出（ここでの排出には、賞球排出および球貸し排出が含まれる）する機能を有し、球排出機構を備えた排出装置を構成する。なお、排出ユニット１０５は２条の球排出通路（図示省略）を有しており、賞球用の排出と球貸し用の排出を兼ねるようになっている。また、賞球用の排出は、遊技において発生した遊技価値を遊技者に供給することに相当する。
【００４０】
誘導路１０２に賞球排出および球貸し排出のための球が有るかどうかは、半端センサユニット１０４によってそれぞれ検出される。ターミナル装置１０３はＡＣ電源の入力や遊技店のホールコンピュータ（管理装置：図示省略）との間における信号の授受などについての中継を行うもので、リレー部およびコネクタ部（ホールコンピュータとの接続を行う）に区分されており、両者はケーブルによって接続されている。
【００４１】
遊技盤Ｙの前面側の構成例は、図２の遊技盤の正面図に示す通りである。
【００４２】
例えば、所謂「第１種」に属するタイプのものでは、遊技盤Ｙに、アウト球流入口２００、レール２０１、特別図柄表示装置２０２、普通電動役物タイプの始動入賞口２０３、変動入賞装置（大入賞口）２０４，一般入賞口２０５，２０６、複数の一般入賞口２０７〜２１０、特図始動記憶表示器２１１、装飾ランプ２１２，２１３、風車と呼ばれる打球方向変換部材２１４、多数の障害釘（図示略）が設けられている。
【００４３】
ここで、遊技盤Ｙに設けられた複数の全ての入賞口には入賞球を検出するために入賞センサが設けられている。すなわち、始動入賞口２０３の内部には特図始動センサＳ１が配置され、変動入賞装置２０４の内部にはカウントセンサＳ２，Ｓ３が配置され、一般入賞口２０５〜２１０の内部には入賞センサＳ４〜Ｓ９が配置されている。そして、遊技球がこれらの入賞口に入賞すると、賞球数情報が後述する接続アダプタＡ１，配線ケーブルおよびコネクタを介して遊技制御装置Ｂ１へ送られ、さらに排出信号が遊技制御装置Ｂ１から排出制御装置Ｂ２に送信されるようになっている。なお、符号６００は普図ゲートセンサ、６０１は普通図柄表示器である。
【００４４】
また、計８個の装飾ランプ２１２，２１３は、例えば大当り時に点灯（点滅状態も含む）する大当り表示器を兼ねるものであり、それぞれがＬＥＤ等に発光素子Ｌ１〜Ｌ８を内蔵し、後述する中継基板Ａ２を介して装飾制御装置Ｂ５に接続されている。
【００４５】
ここで、上記遊技制御装置Ｂ１は、枠体１１２に取り付けられて遊技盤Ｙで実行される役物遊技に必要な各種制御を行うもので、所定の透明ケース１０内に収納されている（図１参照）。遊技制御装置Ｂ１には、後述する接続アダプタＡ１の接続端子Ｄ２と係合可能な接続コネクタＣ１が設けられている。
【００４６】
この遊技制御装置Ｂ１を枠体１１２に取り付ける構成としたのは、遊技制御装置Ｂ１の取付作業を遊技店において容易に行うことができるようにしたいとの要請に基づくものである。
【００４７】
即ち、遊技制御装置Ｂ１は、遊技盤毎に制御内容が異なるため、遊技盤Ｙが交換されると新たなものと入れ換えられることが普通である。したがって、敢えて枠体１に取り付けるべき積極的理由はなく、却って遊技盤側に取り付けられて遊技盤ごと交換できるようにした方が便利であった。
【００４８】
ところが、先にも述べたように、遊技制御装置Ｂ１は、遊技価値の獲得に重要な関連を有する変動入賞装置等の各種遊技装置の駆動制御等を司っているため、悪意を持った第三者による不正な工作等を受け易いという問題があった。そのため、その不正行為を防止すべく、製造メーカーから遊技盤Ｙを出荷する時点では遊技制御装置Ｂ１を遊技盤Ｙに取り付けない状態とし、遊技盤Ｙが遊技店において枠体１１２に係合された後に、遊技盤Ｙとは別ルートで厳重に保管されかつ輸送された遊技制御装置Ｂ１を遊技店において取付るようにするという不正防止対策を提案した。この提案を実現するためには、遊技店において別送されて来た遊技制御装置Ｂ１を遊技店の店員等が容易に取り付けられる構成とすることが望まれる。これに対応するために、本実施形態では、枠体１１２の左上側の所定位置に遊技制御装置Ｂ１の取付スペースを確保し、その位置に遊技制御装置Ｂ１をワンタッチの保持部材等の固定具によって簡便に取り付けることができる構成としている。したがって、上述のように遊技制御装置Ｂ１を遊技盤Ｙとは別送するという不正防止対策が採用された場合にも即時対応することができる。
【００４９】
ここで、遊技制御装置Ｂ１と上記各種入賞装置の入賞センサＳ１〜Ｓ９とを媒介する本発明の主要構成要素の一つである接続アダプタＡ１の構成例について図３〜図６を参照して説明する。
【００５０】
図３は、接続アダプタＡ１の構成例を示す斜視図である。
【００５１】
接続アダプタＡ１は、例えば絶縁性の樹脂等で成形された長方形の基板３００の表面上に、入賞センサＳ１〜Ｓ９の各端子と接続される接続端子Ｄ１が配設されている。この接続端子Ｄ１は、対応する入賞センサＳ１〜Ｓ９側の端子と同色に色分けするようにしてもよい。これにより、色を指標にして配線作業を行うことができるため配線ミスを低減することができる。
【００５２】
基板３００の長手の一端には遊技制御装置Ｂ１の接続コネクタＣ１と接続可能な複数の接続端子Ｄ２が並列状態で配設されている。この接続端子Ｄ２と接続端子Ｄ１は図示しない基板裏面において所定パターンのプリント配線等によって電気的に接続されている。
【００５３】
基板３００の長手方向に両端部には、後述する遊技制御装置Ｂ１のカバー部材の一部と係合して遊技制御装置Ｂ１の接続コネクタＣ１との着脱を図るための係合部材３０１が設けられている。係合部材３０１には遊技制御装置Ｂ１のカバー部材の一部が係合する溝３０１ａが形成されている。
【００５４】
ここで、概略上記のように構成された接続アダプタＡ１の用い方について説明する。図４は、接続アダプタＡ１を用いた状態を示す説明図である。
【００５５】
図４に示すように、遊技盤Ｙの裏面において、上記入賞センサＳ１〜Ｓ９から延設され、先端に端子を有する複数のケーブル４００が、それらの端子を接続アダプタＡ１の接続端子Ｄ１に挿し込まれることにより電気的に接続される。なお、この入賞センサＳ１〜Ｓ９と接続アダプタＡ１との接続作業はメーカーの工場における組立工程によって行われる。
【００５６】
そして、遊技盤Ｙは、上記のように接続アダプタＡ１に入賞センサＳ１〜Ｓ９がケーブル４００に接続された状態で、遊技店へ出荷される。また、この遊技盤Ｙとは別送で厳重に管理された遊技制御装置Ｂ１も遊技店に届けられる。
【００５７】
次いで、前出の図１に示すように遊技盤Ｙを遊技機１の遊技盤収納部１２２に収納し、枠体１１２に遊技制御装置Ｂ１を取り付けた後に、接続アダプタＡ１を遊技制御装置Ｂ１に接続する。
【００５８】
即ち、具体的な構成および機構は後述するが、図１上、遊技制御装置Ｂ１のケース１０の下側に付属する閉塞状態のコネクタカバー１１（図５参照）を手動により開放状態とし（図６（ａ）参照）、遊技制御装置Ｂ１側に設けられた接続コネクタＣ１（図６参照）に、上記接続アダプタＡ１を下側から接続する。なお、後述するように本実施形態では、コネクタカバー１１を手動で閉塞させることにより自動的に接続コネクタＣ１と接続アダプタＡ１が係合され、逆にコネクタカバー１１を開放させることにより接続コネクタＣ１と接続アダプタＡ１が自動的に離脱されるようになっており（図６（ａ），（ｂ）参照）、コネクタカバー１１を開放して行われる危険性のある不正行為を未然に防止できるようになっている。
【００５９】
ここで、遊技制御装置Ｂ１のケース１０に取り付けられるコネクタカバー１１の構成例を図５，図６を参照して説明する。
【００６０】
図５はケースとコネクタカバーの概略構成を示す斜視図、図６はコネクタカバーと接続アダプタの関係を模式的に示す説明図である。
【００６１】
コネクタカバー１１は、ケース１０の一端部（図１の取付状態では下側）に開閉可能に設けられている。コネクタカバー１１は、図５に示すように断面形状がほぼ扇形に成形され、その弧状の周縁と対向する所定部位に回転軸１１ａが設けられ、その回転軸１１ａを回転中心として回動可能に軸支されている。また、ケース１０の端部には、回動するコネクタカバー１１がケース１０内に進退可能な開口部１０ｃが形成されている。
【００６２】
コネクタカバー１１の弧状の周縁部には、ケース１０に当接する内側のストッパ１１ｂと外側のストッパ１１ｃが長手方向に形成されている。なお、外側のストッパ１１ｃが形成された端部のほぼ中央には、係合される接続アダプタＡ１からの配線ケーブル４００を通す切欠部１１ｄが形成されている。また、図５には現れないが、コネクタカバー１１の弧状の周縁と対向する外縁部にはギア状の着脱用突起（本実施形態では図６に示すように、突起Ｇ１，Ｇ２の２個）が設けられている。
【００６３】
この着脱用突起Ｇ１，Ｇ２は、先に構成を説明した接続アダプタＡ１の係合部材３０１に形成された溝３０１ａおよび係合部材３０１の端部３０１ｂと係合あるいは当接することにより、コネクタカバー１１の開閉動作に連動して接続アダプタＡ１の接続端子Ｄ２と、遊技制御装置Ｂ１の接続コネクタＣ１との着脱を行うものである。
【００６４】
即ち、図６（ａ）に示すように、接続アダプタＡ１の接続端子Ｄ２と、遊技制御装置Ｂ１の接続コネクタＣ１を接続させる場合には、接続アダプタＡ１を着脱用突起Ｇ１と当接する位置にセッティングした後に、コネクタカバー１１を手動により矢印Ｆ１方向に回動させる。これにより、着脱用突起Ｇ２が接続アダプタＡ１の溝３０１ａの内側と係合して接続アダプタＡ１が矢印Ｍ１方向に移動され、コネクタカバー１１が閉塞された状態において図６（ｂ）のように接続アダプタＡ１の接続端子Ｄ２と、遊技制御装置Ｂ１の接続コネクタＣ１が自動的に係合して電気的な接続が図られる。
【００６５】
なお、図７のブロック図の上段に示すように、接続アダプタＡ１の接続端子Ｄ２と、遊技制御装置Ｂ１の接続コネクタＣ１が電気的に接続されることにより、遊技制御装置Ｂ１と各種入賞センサ（Ｓ１〜Ｓ９）が接続アダプタＡ１を介して電気的に接続され、これらの入賞センサ（Ｓ１〜Ｓ９）からの入賞信号に基づいて遊技制御装置Ｂ１内の遊技用マイクロコンピュータによって各種の制御処理が行われる。そして遊技制御装置Ｂ１の演算結果に基づいて大入賞口ソレノイド等が駆動制御される。
【００６６】
一方、接続アダプタＡ１の接続端子Ｄ２を遊技制御装置Ｂ１の接続コネクタＣ１から外す場合には、上記とは逆に、コネクタカバー１１を手動により矢印Ｆ２方向に回動させる。これにより、着脱用突起Ｇ１が接続アダプタＡ１の端部３０１ｂが係合して接続アダプタＡ１が矢印Ｍ２方向に移動されて、コネクタカバー１１が開放された状態において図６（ａ）のように接続アダプタＡ１の接続端子Ｄ２と、遊技制御装置Ｂ１の接続コネクタＣ１が自動的に離間されて電気的な接続が解除される。
【００６７】
したがって、接続アダプタＡ１の遊技制御装置Ｂ１への着脱が容易になり作業効率が向上するという効果がある。
【００６８】
さらに、上述のようにコネクタカバー１１を開放するとその動作に連動して接続アダプタＡ１の接続端子Ｄ２が遊技制御装置Ｂ１の接続コネクタＣ１から自動的に外れるようになっているため、例えば遊技機の動作中に、悪意を持った第三者が接続アダプタＡ１の配線などに不正行為を働く目的でコネクタカバー１１を開放させた場合には、接続アダプタＡ１の接続端子Ｄ２と、遊技制御装置Ｂ１の接続コネクタＣ１との電気的な接続が断たれて遊技機の遊技が緊急停止したり、あるいは遊技制御装置の異常発生が遊技店の管理装置に報知される。したがって、かかる不正行為の発生を早期に発見することができるとともに、排出制御装置Ｂ２による賞球の異常な払い出し等を未然に防止することができる。
【００６９】
なお、接続アダプタＡ１の接続端子Ｄ２と、遊技制御装置Ｂ１の接続コネクタＣ１とが電気的に接続されているか否かを検出する検出手段を遊技制御装置Ｂ１側に設けることも可能であり、その場合にはより確実に不正行為を発見することができる。
【００７０】
また、コネクタカバー１１を閉塞し、その状態においてネジ等によりコネクタカバー１１が簡単に開放しないようにかしめるようにしてもよく、その場合にはより確実に不正の発生を防止することができる。
【００７１】
また、本実施形態のコネクタカバー１１は一例に過ぎず、その他、開閉動作に連動して接続アダプタＡ１の接続端子Ｄ２と、遊技制御装置Ｂ１の接続コネクタＣ１とを脱着できる構成となっていればいかなる構造であってもよい。
【００７２】
次に、図１において、排出制御装置Ｂ２は、枠体１１２に取付けられて球の排出に必要な各種電気部品（例えば、排出ユニット１０５の電気的駆動源）の制御を行うものであり、所定の透明なケース１２内に収納されている。
【００７３】
この排出制御装置Ｂ２は、遊技制御装置Ｂ１から送信された賞球データ（賞球数情報）に基づき、排出センサからの検出信号に基づいて排出ソレノイドヘの通電を制御し、所定数の遊技球を排出させる制御を行う。また、排出制御装置Ｂ２は球貸機２（いわゆるＣＲサンドユニット）との間で信号の授受を行いながら、球貸しに伴う制御を行う。すなわち、球貸機２から球貸し準備完了を示すBRDY信号（図８参照）をパチンコ遊技機１側の排出制御装置Ｂ２で受信し、パチンコ遊技機１側の準備完了を示すPRDY信号（図８参照）を球貸機２側で受信することにより、球貸機２を含めた球貸し制御が可能になる。また、球貸機２から排出制御装置Ｂ２に球を貸し出すことを要求するBRQ信号（図８参照）を送信し、その信号の受信に基づき排出制御装置Ｂ２で貸球排出を行い、貸球排出が終了したことに基づきEXS信号（図８参照）を球貸機２側へ送信することにより一連の球貸し制御が可能になる。なお、この排出制御装置Ｂ２には、接続コネクタＣ２が設けられ上記遊技制御装置Ｂ１等と配線ケーブル（図示せず）を介して接続されるようになっている。
【００７４】
電源装置（電源供給ユニット）Ｂ３は、枠体１１２に取り付けられて遊技制御装置Ｂ１，排出制御装置Ｂ２，発射制御装置Ｂ４，装飾制御装置Ｂ５，表示制御装置Ｂ６，音声制御装置Ｂ７に電力を供給するものである。ここで、図８の電力供給系統を示すブロック図を参照して電力の供給系統の詳細を説明する。
【００７５】
図８において、パチンコ遊技機１には外部からＡＣ２４Ｖの電力が供給されるようになっており、外部電源であるＡＣ２４Ｖはターミナル装置（外部ターミナル）１０３を介して間接的に電源装置（電源供給ユニット）Ｂ３に分配される。
【００７６】
電源装置Ｂ３はＡＣ２４Ｖを直流に変換し、各種のＤＣ電圧を生成して各制御装置に供給するようになっている。具体的には、ソレノイド駆動用のＤＣ３０Ｖ、ランプ類駆動用のＤＣ２４Ｖ、センサ駆動用およびバックライト駆動用のＤＣ１２Ｖを駆動用電源として生成するとともに、各制御装置を動作させるための制御装置用電源としてＤＣ１２Ｖを生成する。
【００７７】
そして、ＤＣ３０ＶおよびＤＣ１２Ｖを発射制御装置Ｂ４に、ＤＣ２４ＶおよびＤＣ１２Ｖを排出制御装置Ｂ２に、ＤＣ３２Ｖ、ＤＣ２４ＶおよびＤＣ１２Ｖを遊技制御装置Ｂ１に、ＤＣ１２Ｖを音制御装置Ｂ７に、ＤＣ３０Ｖ、ＤＣ２４ＶおよびＤＣ１２Ｖを装飾制御装置Ｂ５に、ＤＣ１２Ｖを表示制御装置Ｂ６に供給するようになっている。したがって、遊技制御装置Ｂ１および排出制御装置Ｂ２は、これら装置内で使用するための電源を別途構成された電源装置Ｂ３から供給される構成となっているとともに、電源装置Ｂ３はパチンコ遊技機１の外部から電力（ＡＣ２４Ｖ）の供給を受けて、所要の電圧を生成して排出制御装置Ｂ２に供給する構成となっている。
【００７８】
発射制御装置Ｂ４は、枠体１１２に取り付けられて球の発射に必要な各種電気部品（例えば、発射ユニット１０９の電気的駆動源）の制御を行うもので、所定の透明なケース１４内に収納されている。発射制御装置Ｂ４は、発射操作ノブの回動量に応じて発射ユニット１０９（発射装置）を制御し、回動量に応じた強さで遊技球を発射させる制御を行うようになっている。
【００７９】
ここで、装飾制御装置Ｂ５は、図９に示すように、遊技盤Ｙの裏面に取り付けられて、後述の表示制御装置Ｂ６の裏側に重ねて設けられている。
【００８０】
この装飾制御装置Ｂ５は、遊技機１の前面等に配設された計８個の装飾ランプ２１２，２１３のＬＥＤ等の発光素子Ｌ１〜Ｌ８の点灯又は消灯を遊技制御装置Ｂ１から送信された装飾データに基づいて制御するものであり、所定の透明なケース１５内に収納されている。装飾制御装置Ｂ５と発光素子Ｌ１〜Ｌ８との接続は装飾用中継基板Ａ２を介して行われる。即ち、絶縁性の樹脂等で形成される装飾用中継基板Ａ２には、第３の接続部として発光素子Ｌ１〜Ｌ８の各端子と接続する接続コネクタＣ３と、第４の接続部として装飾用中継基板Ａ２と装飾制御装置Ｂ５のコネクタＣ５とをケーブル２５０を介して接続するコネクタＣ４が設けられている。これによれば、ＬＥＤ等の配設数が増加しても、装飾用中継基板Ａ２のコネクタＣ３の数を増やすだけで容易に対応することができる。また、装飾用中継基板Ａ２のコネクタＣ４を介して接続ケーブル２５０をコネクタＣ５に接続するだけで、装飾制御装置Ｂ５と多数の発光素子Ｌ１〜Ｌ８との電気的接続を完了することができる。また、遊技店において装飾制御装置Ｂ５に故障を生じたような場合には、装飾用中継基板Ａ２のコネクタＣ５に接続ケーブル２５０を脱着するだけで交換作業を完了することができるため、多数の発光素子Ｌ１〜Ｌ８の端子を一つずつ接続し直す手間を省くことができる。なお、図７のブロック図の下段に示すように、遊技制御装置Ｂ１から送信されてくる装飾データを装飾制御装置Ｂ５内の遊技制御用マイクロコンピュータで処理して、中継基板Ａ２を介してコネクタＣ３に接続された各発光素子Ｌ１〜Ｌ８へ分散して送出されるように構成することができる。
【００８１】
なお、図９においては、装飾用中継基板Ａ２の下側には遊技制御装置Ａ１に代わる中継基板５００を設ける場合を示しており、この場合には、各種入賞センサＳ１〜Ｓ９の配線は、中継基板５００を介してコネクタ５０１を遊技制御装置Ｂ１に接続することにより行われる。
【００８２】
表示制御装置Ｂ６は、遊技盤の裏面側（本実施形態では、特別図柄表示装置の裏面側）に取り付けられている（なお、表示制御装置Ｂ６の上に上記装飾制御装置Ｂ５が重なった状態で取り付けられているため表示制御装置Ｂ６自体は図１上には現れない）。この表示制御装置Ｂ６は、遊技制御装置Ｂ１から出力される指令などに従ってセンター役物を制御し、センター役物の前面の表示部（例えば特別図柄表示装置の表示部）に所定の画像を表示させるもので、所定の透明なケース（図上は現れない）内に収納されている。
【００８３】
表示制御装置Ｂ６は、遊技制御装置Ｂ１から送信された表示データに基づき、特別図柄表示装置の画像表示を制御するとともに、特別図柄表示装置に対して電源を供給している。
【００８４】
音制御装置Ｂ７は、遊技盤の裏面側に取り付けられている。この音制御装置Ｂ７は、遊技機１の前面等に配設されたスピーカーより、遊技状態に応じて各種効果音を適宜出力する制御を行うものであり、所定の透明ケース１３内に収納されている。なお、音制御装置Ｂ７は、遊技制御装置Ｂ１とケーブル接続されて、遊技状態を示す信号などの授受が行われるようになっている。音制御装置Ｂ７は、遊技制御装置Ｂ１から送信された音データに基づき効果音を生成する等の効果音に関する制御を行っている。
【００８５】
発射ユニット１０９は、遊技機１の前面下部に設けられた発射操作ノブの操作に応じて、球を発射するための機構である。カードユニット接続装置１１０は球貸機２から延出されるケーブル（図示せず）を遊技機１に接続するためのもので、ケーブルの端部に設けられるコネクタを受ける装着部材（例えば、メス型のコネクタ）を備えている。
【００８６】
なお、本発明に係る遊技機は、第２種（いわゆる羽根物タイプ）のパチンコ遊技機に限らず、第１種（いわゆるセブン機タイプ）や第３種（いわゆる権利物タイプ）のパチンコ遊技機、アレンジボール遊技機等の他の弾球遊技機であってもよい。
【００８７】
また、遊技盤Ｙの裏面に、遊技盤裏面を覆う遊技盤裏面カバー部材を設け、接続アダプタＡ１または中継基板Ａ２を前記遊技盤裏面カバー部材の背面に止着する構成としてもよい。その場合には、遊技盤裏面の限られたスペースを有効に活用することができる。
【００８８】
【発明の効果】
以上述べたように、本発明に係る遊技機によれば、遊技盤に備えられる複数の入賞口には、入賞した遊技媒体を個々検出可能な入賞媒体検出手段が各々設けられ、前記入賞媒体検出手段からの入賞信号に基づいて、各種の制御処理を行う遊技制御装置を備えた遊技機であって、前記各入賞媒体検出手段と前記遊技制御装置とは、各入賞媒体検出手段から延設される配線の端子をそれぞれ接続可能な第１の接続部と、前記遊技制御装置に設けられるコネクタ部と接続可能な第２の接続部とを備える接続用アダプタを介して電気的に接続される構成とし、前記遊技制御装置は、ケースと、該ケースに開閉可能に設けられ、前記コネクタ部を覆うコネクタカバーとを備え、前記コネクタカバーが閉塞されることにより前記遊技制御装置のコネクタ部と前記接続用アダプタの第２接続部とが電気的に接続され、前記コネクタカバーを開放させることにより前記コネクタ部と前記第２接続部との電気的接続が解除されるように構成するようにしたので、工場における遊技盤の組立工程において上記接続用アダプタの第１の接続部に複数の前記各入賞媒体検出手段から延設される配線の端子を接続しておくことにより、遊技制御装置を遊技盤と別送するという不正防止対策を採用した場合であっても、遊技店においては、上記接続用アダプタの第２の接続部を遊技制御装置に接続するだけで配線作業を完了することができるという効果がある。したがって、配線作業に不慣れな遊技店の従業員等が配線作業にあたる場合であっても簡易かつ確実に遊技制御装置と各入賞媒体検出手段から延設される配線の端子との接続を行うことができるという効果がある。
【００９０】
また、中継基板の第４の接続部を介して装飾制御装置に接続するだけで、多数の発光手段と装飾制御装置との電気的接続を完了することができるという効果がある。また、遊技店において装飾制御装置に故障を生じたような場合には、中継基板の第４の接続部に接続されたケーブルを脱着するだけで交換作業を完了することができるため、多数の発光手段の端子を一つずつ接続し直す手間を省くことができるという効果がある。
【００９５】
また、上記遊技制御装置は、上記コネクタ部を覆うコネクタカバーを備え、該コネクタカバーが閉められた状態において上記接続アダプタの第２の接続部と前記コネクタ部とが電気的に接続され、前記コネクタカバーが開けられた状態において上記接続アダプタの第２の接続部と上記コネクタ部との電気的接続が解除されるように構成してもよく、より具体的には、上記コネクタカバーは、断面形状がほぼ扇形に成形され、その弧状の周縁と対向する所定部位を回転中心として回動可能に軸支され、かつ、上記弧状の周縁と対向する外縁部に着脱用突起が設けられ、上記接続アダプタには、上記着脱用突起と係脱可能な着脱用係合部が設けられ、前記コネクタカバーの閉塞方向への回動に伴って前記着脱係合部と前記着脱用突起が係合して前記接続アダプタが前記遊技制御装置側に移動された際に、上記遊技制御装置のコネクタ部と前記接続アダプタの第２の接続部とが係合して電気的に接続され、前記コネクタカバーの開放方向への回動に伴って前記着脱係合部と前記着脱用突起が係合して前記接続アダプタが前記遊技制御装置と離間する方向に移動された際に、前記コネクタ部と前記第２の接続部との電気的接続が解除されるように構成するならば、上記コネクタカバーを開放すると必然的に上記接続アダプタの第２の接続部と上記コネクタ部との電気的接続が解除されるので、悪意を持った第三者が不正を働く目的で、遊技機の動作中に遊技制御装置の上記コネクタカバーを開放した場合には、その時点で遊技動作が停止してしまうかあるいは異常発生が遊技店側に報知されるようにできるため不正行為に基づく賞球の異常排出などを未然に防止することができるという効果がある。
【図面の簡単な説明】
【図１】  本発明に係る遊技機の一実施形態としてのパチンコ遊技機の裏機構の構成を示す正面図である。
【図２】本発明に係る遊技機に用いられる遊技盤の構成例を示す正面図である。
【図３】本発明に係る遊技機に用いられる接続アダプタの構成例を示す斜視図である。
【図４】本発明に係る遊技機に用いられる接続アダプタの使用状態を示す説明図である。
【図５】本発明に係る遊技機に用いられる遊技制御装置のコネクタカバーの構成例を示す概略斜視図である。
【図６】本発明に係る遊技機に用いられる遊技制御装置のコネクタカバーと接続アダプタの係合関係を模式的に示す説明図である。
【図７】本発明に係る遊技機に用いられる遊技制御装置，装飾制御装置と接続アダプタおよび中継基板の接続状態を示すブロック図である。
【図８】本発明に係る遊技機の制御装置の電力供給系統を示すブロック図である。
【図９】本発明に係る遊技機に用いられる中継基板の使用状態を示す説明図である。
【符号の説明】
１        遊技機（パチンコ遊技機）
２        カード式球貸機（ＣＲサンドユニット）
Ｂ１      主装置（遊技制御装置）
Ｂ２      排出制御装置
Ｂ３      電源装置（電源ユニット）
Ｂ４      発射制御装置
Ｂ５      装飾制御装置
Ｂ６      表示制御装置
Ｂ７      音声制御装置
Ｃ１〜Ｃ５  接続コネクタ
Ｓ１〜Ｓ９  入賞センサ
Ａ１      接続用アダプタ
Ａ２      装飾用中継基板（中継基板）
Ｄ１，Ｄ２  コネクタ
Ｌ１〜Ｌ８  発光素子
Ｙ        遊技盤
Ｍ        裏機構盤
１０      ケース
１１      コネクタカバー
１１ａ    回転軸
１１ｂ    ストッパ
１１ｃ    ストッパ
１２      透明なケース
１３      透明なケース
１４      透明なケース
Ｇ１，Ｇ２  着脱用突起
１０１      貯留タンク
１０２      誘導路
１０３      ターミナル装置（外部端子装置）
１０４      半端センサユニット
１０５      排出ユニット
１０６      カードユニット接続装置
１０９      発射ユニット
１１０      カードユニット接続装置
１１２      枠体（裏メカベース）
１２１      金属フレーム
１２２      遊技盤収納部
２００      アウト球流入口
２０１      レール
２０２      特別図柄表示装置
２０３      普通電動役物タイプの始動入賞口
２０４      変動入賞装置（大入賞口）
２０５      一般入賞口
２０６      一般入賞口
２０７〜２１０    一般入賞口
２１１      特図始動記憶表示器
２１２      装飾ランプ
２１３      装飾ランプ
２１４      打球方向変換部材
３００      基板
３０１      係合部材
３０１ａ    係合用溝
３０１ｂ    端部
４００      接続ケーブル
５００      中継基板
５０１      コネクタ
６００      普図始動ゲートセンサ
６０１      普通図柄表示器
【図１】
0003717709.tif 000002
【図２】
0003717709.tif 000003
【図３】
0003717709.tif 000004
【図４】
0003717709.tif 000005
【図５】
0003717709.tif 000006
【図６】
0003717709.tif 000007
【図７】
0003717709.tif 000008
【図８】
0003717709.tif 000009
【図９】
0003717709.tif 000010